(57)【要約】【課題】非使用時に摩擦部が汚れることを防止できる熱変色性筆記具を提供する。【解決手段】熱変色性筆記具１は、筒状の本体２の端部に、熱変色性インキの筆跡を摩擦しその際に生じる摩擦熱で該筆跡を熱変色可能な低摩耗性の弾性材料からなる摩擦部３１を備え、且つ、内部に熱変色性インキが収容される。本体２の摩擦部３１の近傍に保護部材４が回動自在に取り付けられる。保護部材４が、摩擦部３１の頂部を覆う被覆部４１と、その一端が軸線に対して垂直な回動軸で軸支される軸支部４２とを備える。摩擦部３１の非使用時、保護部材４の被覆部４１が摩擦部３１の頂部を覆い、摩擦部３１の使用時、保護部材４の被覆部４１を摩擦部３１の頂部から離れた位置に配置させ、摩擦部３１の頂部を外部に露出させる。【選択図】  図２
2015009418.tif 000002
【特許請求の範囲】
【請求項１】
筒状の本体の端部に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具であって、前記本体の前記摩擦部の近傍に保護部材が回動自在に取り付けられ、前記保護部材が、前記摩擦部の頂部を覆う被覆部と、その一端が軸線に対して垂直な回動軸で軸支される軸支部とを備え、前記摩擦部の非使用時、前記保護部材の被覆部が前記摩擦部の頂部を覆い、前記摩擦部の使用時、前記保護部材の被覆部を前記摩擦部の頂部から離れた位置に配置させ、前記摩擦部の頂部を外部に露出させてなることを特徴とする熱変色性筆記具。
【請求項２】
前記保護部材に係合部を設け、前記本体に前記係合部と係脱自在の被係合部を設け、前記被覆部が摩擦部の頂部を覆った状態において、前記係合部と前記被係合部とが係合状態にある請求項１記載の熱変色性筆記具。
【請求項３】
前記軸支部の回動軸が本体の径方向外方に位置し、前記被覆部がカップ状または有底筒状であり、前記係合部が前記軸支部と反対側の端部に形成される請求項１または２記載の熱変色性筆記具。
【請求項４】
前記軸支部の回動軸が本体側壁を貫通する位置にあり、前記被覆部が円弧状板片からなり、前記保護部材が、前記軸支部と前記被覆部とを連結する一対の脚片部を備え、前記係合部が前記脚片部に形成される請求項１または２記載の熱変色性筆記具。
【請求項５】
前記保護部材にもう一つの係合部を設け、前記本体に前記もう一つの係合部と係脱自在のもう一つの被係合部を設け、前記被覆部が摩擦部の頂部を覆った状態において、前記もう一つの係合部と前記もう一つの被係合部とが係合状態にある請求項２乃至４の何れかに記載の熱変色性筆記具。
【発明の詳細な説明】
【技術分野】
【０００１】
本発明は、筒状の本体の端部に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具に関する。
【背景技術】
【０００２】
従来、熱変色性筆記具において、軸胴の後端やキャップの頂部に摩擦体を設ける構成が開示されている。（例えば、特許文献１）。
【先行技術文献】
【特許文献】
【０００３】
【特許文献１】特開平２００７−２２３３０２号公報
【発明の概要】
【発明が解決しようとする課題】
【０００４】
前記特許文献１の熱変色性筆記具は、非使用時、ペンケース、ペン立て、または衣服のポケット等に収納して保管すると、摩擦部が常に外部に露出しているため、摩擦部が、他の物品（例えば、他の筆記具外面、ペンケースの内面、ペン立ての底面、または衣服のポケット内面等）に接触することにより、摩擦部表面に塵や埃が付着し、摩擦部表面が汚れることがあり、その汚れた状態の摩擦部を用いて紙面（被筆記面）を摩擦すると、紙面が汚れてしまう不具合があった。
【０００５】
本発明は前記従来の問題点を解決するものであって、非使用時に摩擦部が汚れることを防止できる熱変色性筆記具を提供しようとするものである。
【課題を解決するための手段】
【０００６】
本願の第１の発明は、筒状の本体２の端部に、熱変色性インキの筆跡を摩擦しその際に生じる摩擦熱で該筆跡を熱変色可能な低摩耗性の弾性材料からなる摩擦部３１を備え、且つ、内部に熱変色性インキを収容した熱変色性筆記具であって、前記本体２の前記摩擦部３１の近傍に保護部材４が回動自在に取り付けられ、前記保護部材４が、前記摩擦部３１の頂部を覆う被覆部４１と、その一端が軸線に対して垂直な回動軸で軸支される軸支部４２とを備え、前記摩擦部３１の非使用時、前記保護部材４の被覆部４１が前記摩擦部３１の頂部を覆い、前記摩擦部３１の使用時、前記保護部材４の被覆部４１を前記摩擦部３１の頂部から離れた位置に配置させ、前記摩擦部３１の頂部を外部に露出させてなることを要件とする。
【０００７】
前記第１の発明の熱変色性筆記具１は、前記本体２の前記摩擦部３１の近傍に保護部材４が回動自在に取り付けられ、前記保護部材４が、前記摩擦部３１の頂部を覆う被覆部４１と、その一端が軸線に対して垂直な回動軸で軸支される軸支部４２とを備え、前記摩擦部３１の非使用時、前記保護部材４の被覆部４１が前記摩擦部３１の頂部を覆い、前記摩擦部３１の使用時、前記保護部材４の被覆部４１を前記摩擦部３１の頂部から離れた位置に配置させ、前記摩擦部３１の頂部を外部に露出させてなることにより、非使用時、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが回避され、非使用時に摩擦部３１が汚れることを防止できる。尚、本発明で筒状の本体２とは、例えば、一端にペン先を備え且つ内部に熱変色性インキを収容した軸筒、または該軸筒のペン先側に着脱自在に装着されるキャップ等が挙げられる。
【０００８】
本願の第２の発明は、前記第１の発明の熱変色性筆記具１において、前記保護部材４に係合部４４を設け、前記本体２に前記係合部４４と係脱自在の被係合部５を設け、前記被覆部４１が摩擦部３１の頂部を覆った状態において、前記係合部４４と前記被係合部５とが係合状態にあることを要件とする。
【０００９】
前記第２の発明の熱変色性筆記具１は、前記保護部材４に係合部４４を設け、前記本体２に前記係合部４４と係脱自在の被係合部５を設け、前記被覆部４１が摩擦部３１の頂部を覆った状態において、前記係合部４４と前記被係合部５とが係合状態にあることにより、被覆部４１が摩擦部３１の頂部を被覆した状態を安定して維持できる。
【００１０】
本願の第３の発明は、前記第１または第２の発明の熱変色性筆記具１において、前記軸支部４２の回動軸が本体２の径方向外方に位置し、前記被覆部４１がカップ状または有底筒状であり、前記係合部４４が前記軸支部４２と反対側の端部に形成されることを要件とする。
【００１１】
前記第３の発明の熱変色性筆記具１は、前記軸支部４２の回動軸が本体２の径方向外方に位置し、前記被覆部４１がカップ状または有底筒状であり、前記係合部４４が前記軸支部４２と反対側の端部に形成されることにより、保護部材４全体をコンパクトにすることができる。
【００１２】
本願の第４の発明は、前記第１または第２の発明の熱変色性筆記具１において、前記軸支部４２の回動軸が本体２側壁を貫通する位置にあり、前記被覆部４１が円弧状板片からなり、前記保護部材４が、前記軸支部４２と前記被覆部４１とを連結する一対の脚片部４３を備え、前記係合部４４が前記脚片部４３に形成されることを要件とする。
【００１３】
前記第４の発明の熱変色性筆記具１は、前記軸支部４２の回動軸が本体２側壁を貫通する位置にあり、前記被覆部４１が円弧状板片からなり、前記保護部材４が、前記軸支部４２と前記被覆部４１とを連結する一対の脚片部４３を備え、前記係合部４４が前記脚片部４３に形成されることにより、軸支部４２から被覆部４１の距離が長くでき、被覆部４１を操作することにより容易な回動操作が可能となる。
【００１４】
本願の第５の発明は、前記第２、第３または第４の発明の熱変色性筆記具１において、前記保護部材４にもう一つの係合部を設け、前記本体２に前記もう一つの係合部と係脱自在のもう一つの被係合部を設け、前記被覆部４１が摩擦部３１の頂部を覆った状態において、前記もう一つの係合部と前記もう一つの被係合部とが係合状態にあることを要件とする。
【００１５】
前記第５の発明の熱変色性筆記具１は、前記保護部材４にもう一つの係合部を設け、前記本体２に前記もう一つの係合部と係脱自在のもう一つの被係合部を設け、前記被覆部４１が摩擦部３１の頂部を覆った状態において、前記もう一つの係合部と前記もう一つの被係合部とが係合状態にあることにより、摩擦部３１が外部に露出した状態を安定して維持できる。
【００１６】
本発明において、前記摩擦部３１を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部３１を構成する弾性を有する合成樹脂は、高摩耗性の弾性材料（例えば、消しゴム等）ではなく、摩擦時に摩耗カス（消しカス）が殆ど生じない低摩耗性の弾性材料である。本発明において、前記保護部材４は、合成樹脂（例えば、ポリカーボネイト、ポリエチレン、ポリプロピレン、ポリアセタール、ＡＢＳ樹脂等）または金属から構成されることが好ましい。また、前記本体２は、合成樹脂（例えば、ポリカーボネイト、ポリエチレン、ポリプロピレン、ポリアセタール、ＡＢＳ樹脂等）または金属から構成されることが好ましい。
【発明の効果】
【００１７】
本発明の熱変色性筆記具は、非使用時に摩擦部が汚れることを防止できる。
【図面の簡単な説明】
【００１８】
【図１】本発明の第１の実施の形態の摩擦部非使用時の要部側面図である。
【図２】図１の摩擦部使用時の要部側面図である。
【図３】図１の縦断面図である。
【図４】本発明の第２の実施の形態の摩擦部非使用時の要部側面図である。
【図５】図４の保護部材の回動過程を示す要部側面図である。
【図６】図４の摩擦部使用時の要部側面図である。
【図７】図４の Ａ−Ａ線断面図である。
【図８】図７のＢ部拡大図である。
【発明を実施するための形態】
【００１９】
＜第１の実施の形態＞
図１乃至図３の本発明の第１の実施の形態の熱変色性筆記具を示す。
【００２０】
本実施の形態の熱変色性筆記具１は、筒状の本体２と、摩擦部３１と、保護部材４とを備える。
【００２１】
・本体
前記本体２は、円筒体であり、合成樹脂または金属により形成される。前記本体２は、例えば、内部に熱変色性インキが収容され且つ該熱変色性インキが吐出可能なペン先を一端に備えた軸筒、または、前記軸筒のペン先側に着脱自在のキャップが挙げられる。前記本体２が軸筒の場合、軸筒の反ペン先側の端部に摩擦部３１が設けられる。前記本体２がキャップの場合、キャップの閉鎖側端部に摩擦部３１が設けられる。
【００２２】
・摩擦部
前記本体２の一端に、低摩耗性の弾性材料（例えば、シリコーン樹脂、ＳＢＳ樹脂、ＳＥＢＳ樹脂）からなる摩擦部材３が固着される。前記摩擦部材３の頂部または頂部周縁には、凸曲面状の摩擦部３１が形成される。
【００２３】
・保護部材
前記保護部材４は、本体２の前記摩擦部３１の近傍に回動自在に取り付けられる。前記保護部材４は、前記摩擦部３１の頂部を覆うカップ状または有底筒状の被覆部４１と、その一端が軸線に対して垂直な回動軸で軸支される軸支部４２とを備える。前記保護部材４は、前記軸支部４２と前記被覆部４１とを連結する一対の脚片部４３を備える。前記軸支部４２の回動軸が本体２の径方向外方に位置する。
【００２４】
・係合部、被係合部
前記保護部材４に係合部４４を設け、前記本体２に前記係合部４４と係脱自在の被係合部５を設ける。具体的には、保護部材４の被覆部４１の軸支部４２と反対側の端部に、凹部または孔部からなる係合部４４が形成され、一方、前記本体２の摩擦部３１近傍の外面に、前記凹部または孔部に係合可能な凸部を備えた突片からなる被係合部５が形成される。前記被覆部４１が摩擦部３１の頂部を被覆した状態（摩擦部非使用時）において、前記係合部４４と前記被係合部５が係合状態にあることにより、被覆部４１が摩擦部３１の頂部を被覆した状態を安定して維持できる。
【００２５】
また、図示はしないが、軸支部４２近傍の保護部材４の脚片部４３内面に、もう一つの係合部（例えば突起）を形成し、軸支部４２近傍の本体２にもう一つの被係合部（例えば窪み）を形成することにより、前記被覆部４１が摩擦部３１の頂部から離れ、摩擦部３１が外部に露出した状態（摩擦部使用時）において、前記もう一つの係合部ともう一つの被係合部とが係合状態にあることにより、摩擦部３１が外部に露出した状態を安定して維持できる。なお、前記もう一つの係合部及び前記もう一つの被係合部の具体例として、前記以外に、前記もう一つの係合部が窪みであり、前記もう一つの被係合部が突起であってもよい。
【００２６】
本実施の形態は、前記軸支部４２の回動軸が本体２の径方向外方に位置し、前記被覆部４１がカップ状または有底筒状であり、前記係合部４４が前記軸支部４２と反対側の端部に形成されることにより、保護部材４全体をコンパクトにすることができる。
【００２７】
本実施の形態の熱変色性筆記具１は、少なくとも、摩擦部３１の非使用時、保護部材４の被覆部４１が摩擦部３１の頂部を覆っているため、非使用時、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが回避され、非使用時に摩擦部３１が汚れることを防止できる。
【００２８】
また、本実施の形態の熱変色性筆記具１は、摩擦部３１の使用時、保護部材４の被覆部４１を摩擦部３１の頂部から離れた位置に配置させ、摩擦部３１の頂部を外部に露出させるため、摩擦部３１を適正に使用することができる。
【００２９】
＜第２の実施の形態＞
図４乃至図８の本発明の第２の実施の形態の熱変色性筆記具を示す。
【００３０】
本実施の形態の熱変色性筆記具１は、筒状の本体２と、摩擦部３１と、保護部材４とを備える。
【００３１】
・本体
前記本体２は、円筒体であり、合成樹脂または金属により形成される。前記本体２は、例えば、内部に熱変色性インキが収容され且つ該熱変色性インキが吐出可能なペン先を一端に備えた軸筒、または、前記軸筒のペン先側に着脱自在のキャップが挙げられる。前記本体２が軸筒の場合、軸筒の反ペン先側の端部に摩擦部３１が設けられる。前記本体２がキャップの場合、キャップの閉鎖側端部に摩擦部３１が設けられる。
【００３２】
・摩擦部
前記本体２の一端に、低摩耗性の弾性材料（例えば、シリコーン樹脂、ＳＢＳ樹脂、ＳＥＢＳ樹脂）からなる摩擦部３１材３が固着される。前記摩擦部材３の頂部または頂部周縁には、凸曲面状の摩擦部３１が形成される。
【００３３】
・保護部材
前記保護部材４は、本体２の前記摩擦部３１の近傍に回動自在に取り付けられる。
前記保護部材４は、前記摩擦部３１の頂部を覆う円弧状板片からなる被覆部４１と、その一端が軸線に対して垂直な回動軸で軸支される軸支部４２とを備える。前記軸支部４２の回動軸が本体２側壁を貫通する位置にある。また、前記保護部材４は、前記軸支部４２と前記被覆部４１とを連結する一対の脚片部４３を備える。
【００３４】
・係合部、被係合部
前記保護部材４に係合部４４を設け、前記本体２に前記係合部４４と係脱自在の被係合部５を設ける。具体的には、保護部材４の脚片部４３の内面に、凹部からなる係合部４４が形成され、一方、前記本体２の外面に、２箇所の凸部からなる被係合部５が形成される。前記被係合部５（凸部）は、軸支部４２の周方向に離れた位置と、軸支部４２から摩擦部側に離れた位置の２箇所に形成される。前記被覆部４１が摩擦部３１の頂部を被覆した状態において、前記係合部４４と前記一つの被係合部５とが係合状態にあることにより、被覆部４１が摩擦部３１の頂部を被覆した状態を安定して維持できる。前記被覆部４１が摩擦部３１の頂部から離れ、摩擦部３１が外部に露出した状態において、もう一つ被係合部５と前記係合部４４（もう一つの係合部４４）とが係合状態にあることにより、摩擦部３１が外部に露出した状態を安定して維持できる。前記係合部４４は、もう一つの係合部４４と共通である。
【００３５】
本実施の形態の熱変色性筆記具１は、前記軸支部４２の回動軸が本体２を貫通する位置にあり、前記被覆部４１が円弧状板片からなり、前記保護部材４が、前記軸支部４２と前記被覆部４１とを連結する一対の脚片部４３を備え、前記係合部４４が前記脚片部４３に形成される。それにより、軸支部４２から被覆部４１の距離が長くでき、被覆部４１を操作することにより容易な回動操作が可能となる。
【００３６】
本実施の形態の熱変色性筆記具１は、少なくとも、摩擦部３１の非使用時、保護部材４の被覆部４１が摩擦部３１の頂部を覆っているため、非使用時、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが回避され、非使用時に摩擦部３１が汚れることを防止できる。
【００３７】
また、本実施の形態の熱変色性筆記具１は、摩擦部３１の使用時、保護部材４の被覆部４１を摩擦部３１の頂部から離れた位置に配置させ、摩擦部３１の頂部を外部に露出させるため、摩擦部３１を適正に使用することができる。
【符号の説明】
【００３８】
１  熱変色性筆記具
２  本体
３  摩擦部材
３１  摩擦部
４  保護部材
４１  被覆部
４２  軸支部
４３  脚片部
４４  係合部
５  被係合部
【図１】
2015009418.tif 000003
【図２】
2015009418.tif 000004
【図３】
2015009418.tif 000005
【図４】
2015009418.tif 000006
【図５】
2015009418.tif 000007
【図６】
2015009418.tif 000008
【図７】
2015009418.tif 000009
【図８】
2015009418.tif 000010